(57)【要約】【課題】  回転子の着磁ムラや固定子と回転子とのギャップムラ等があることによって、推定した誘起電圧の波形が歪んだ波形になってしまう。【解決手段】  定電流制御を用いて所定の回転速度ω＿ｃでモータを駆動している状態において推定された誘起電圧Ｅα及びＥβの振幅と前記所定の回転速度ω＿ｃに基づいて、電圧補正テーブルを作成する。前記電圧補正テーブルに基づいて、推定された誘起電圧Ｅα及びＥβの補正を行う。【選択図】  図８
2018007467.tif 000002
【特許請求の範囲】
【請求項１】
モータの回転子の目標位相を表す指令位相に基づいて前記モータを制御するモータ制御装置において、
前記モータの第１相の巻線及び第２相の巻線に駆動電流を供給する電流供給手段と、
前記電流供給手段を駆動する駆動電圧を生成する電圧生成手段と、
前記電流供給手段によって前記第１相の巻線及び第２相の巻線に供給された駆動電流の電流値を検出する電流検出手段と、
前記電圧生成手段によって生成された駆動電圧と、前記電流検出手段によって検出された電流値とに基づいて、前記モータの回転子の回転によって前記第１相の巻線及び第２相の巻線に誘起される誘起電圧を推定する誘起電圧推定手段と、
前記誘起電圧推定手段によって推定された前記第１相の巻線及び第２相の巻線の誘起電圧の値を補正する誘起電圧補正手段と、
前記誘起電圧補正手段によって補正された前記第１相の誘起電圧の値と前記第２相の誘起電圧の値とに基づいて前記モータの回転子の回転位相を推定する位相推定手段と、
前記位相推定手段によって推定された回転位相を基準とした回転座標系における駆動電流の電流値を、前記指令位相と前記回転位相との偏差が小さくなるように制御する位相フィードバックを行うことによって前記モータを制御する第１の制御モードを備えるモータ制御手段と、
を有し、
前記誘起電圧補正手段は、前記モータ制御手段が前記モータを所定の回転速度で駆動している状態において前記誘起電圧推定手段によって推定された誘起電圧の値に基づいて、前記モータ制御手段が前記第１の制御モードを用いて前記モータを所定の回転速度で駆動している状態において前記誘起電圧推定手段によって推定された誘起電圧の値を補正することを特徴とするモータ制御装置。
【請求項２】
モータの回転子の目標速度を表す指令速度に基づいて前記モータを制御するモータ制御装置において、
前記モータの第１相の巻線及び第２相の巻線に駆動電流を供給する電流供給手段と、
前記電流供給手段を駆動する駆動電圧を生成する電圧生成手段と、
前記電流供給手段によって前記第１相の巻線及び第２相の巻線に供給された駆動電流の電流値を検出する電流検出手段と、
前記電圧生成手段によって生成された駆動電圧と、前記電流検出手段によって検出された電流値とに基づいて、前記モータの回転子の回転によって前記第１相の巻線及び第２相の巻線に誘起される誘起電圧を推定する誘起電圧推定手段と、
前記誘起電圧推定手段によって推定された前記第１相の巻線及び第２相の巻線の誘起電圧の値を補正する誘起電圧補正手段と、
前記誘起電圧補正手段によって補正された前記第１相の誘起電圧の値と前記第２相の誘起電圧の値とに基づいて前記モータの回転子の回転位相を推定する位相推定手段と、
前記位相推定手段によって推定された前記回転位相の時間変化に基づいて前記回転子の回転速度を推定する速度推定手段と、
前記位相推定手段によって推定された回転位相を基準とした回転座標系における駆動電流の電流値を、前記指令速度と前記回転速度との偏差が小さくなるように制御する速度フィードバックを行うことによって前記モータを制御する第１の制御モードを備えるモータ制御手段と、
を有し、
前記誘起電圧補正手段は、前記モータ制御手段が前記モータを所定の回転速度で駆動している状態において前記誘起電圧推定手段によって推定された誘起電圧の値と前記所定の回転速度とに基づいて、前記モータ制御手段が前記第１の制御モードを用いて前記モータを所定の回転速度で駆動している状態において前記誘起電圧推定手段によって推定された誘起電圧の値を補正することを特徴とするモータ制御装置。
【請求項３】
前記モータ制御手段は、前記モータの巻線に所定の電流を供給することによって前記モータを制御する第２の制御モードを備え、
前記誘起電圧補正手段は、前記モータ制御手段が前記第２の制御モードを用いて前記モータを所定の回転速度で駆動している状態において前記誘起電圧推定手段によって推定された誘起電圧の値を、該誘起電圧が推定された時刻と対応させて所定の周期分だけ記憶する記憶手段を有し、
更に、前記誘起電圧補正手段は、前記記憶手段に記憶された前記所定の周期分の誘起電圧の値と前記所定の回転速度とに基づいて、前記モータ制御手段が前記第１の制御モードを用いて前記モータを所定の回転速度で駆動している状態において前記誘起電圧推定手段によって推定された誘起電圧の値を補正する際に用いられる電圧補正テーブルを作成し、前記電圧補正テーブルを前記記憶手段に記憶し、
更に、前記誘起電圧補正手段は、前記記憶手段に記憶された電圧補正テーブルに基づいて、前記誘起電圧を補正することを特徴とする請求項１又は２に記載のモータ制御装置。
【請求項４】
前記誘起電圧補正手段は、前記モータの回転速度毎に電圧補正テーブルを作成して、前記電圧補正テーブルを前記記憶手段に記憶し、
更に、前記誘起電圧補正手段は、前記記憶手段に記憶された、前記モータ制御手段が前記第１の制御モードを用いて前記モータを駆動する際の前記モータの回転速度に対応する電圧補正テーブルに基づいて、前記誘起電圧を補正することを特徴とする請求項３に記載のモータ制御装置。
【請求項５】
モータの回転子の目標位相を表す指令位相に基づいて前記モータを制御するモータ制御装置において、
前記モータの第１相の巻線及び第２相の巻線に駆動電流を供給する電流供給手段と、
前記電流供給手段を駆動する駆動電圧を生成する電圧生成手段と、
前記電流供給手段によって前記第１相の巻線及び第２相の巻線に供給された駆動電流の電流値を検出する電流検出手段と、
前記電圧生成手段によって生成された駆動電圧と、前記電流検出手段によって検出された電流値とに基づいて、前記モータの回転子の回転によって前記第１相の巻線及び第２相の巻線に誘起される誘起電圧を推定する誘起電圧推定手段と、
前記誘起電圧推定手段によって推定された前記第１相の誘起電圧の値と前記第２相の誘起電圧の値とに基づいて前記モータの回転子の回転位相を推定する位相推定手段と、
前記位相推定手段によって推定された回転位相を補正する位相補正手段と、
前記位相補正手段によって補正された回転位相を基準とした回転座標系における駆動電流の電流値を、前記指令位相と前記回転位相との偏差が小さくなるように制御する位相フィードバックを行うことによって前記モータを制御する第１の制御モードを備えるモータ制御手段と、
を有し、
前記位相補正手段は、前記モータ制御手段が前記モータを所定の回転速度で駆動している状態において前記位相推定手段によって推定された回転位相と前記所定の回転速度とに基づいて、前記モータ制御手段が前記第１の制御モードを用いて前記モータを所定の回転速度で駆動している状態において前記位相推定手段によって推定された回転位相を補正することを特徴とするモータ制御装置。
【請求項６】
モータの回転子の目標速度を表す指令速度に基づいて前記モータを制御するモータ制御装置において、
前記モータの第１相の巻線及び第２相の巻線に駆動電流を供給する電流供給手段と、
前記電流供給手段を駆動する駆動電圧を生成する電圧生成手段と、
前記電流供給手段によって前記第１相の巻線及び第２相の巻線に供給された駆動電流の電流値を検出する電流検出手段と、
前記電圧生成手段によって生成された駆動電圧と、前記電流検出手段によって検出された電流値とに基づいて、前記モータの回転子の回転によって前記第１相の巻線及び第２相の巻線に誘起される誘起電圧を推定する誘起電圧推定手段と、
前記誘起電圧推定手段によって推定された前記第１相の誘起電圧の値と前記第２相の誘起電圧の値とに基づいて前記モータの回転子の回転位相を推定する位相推定手段と、
前記位相推定手段によって推定された回転位相を補正する位相補正手段と、
前記位相補正手段によって補正された前記回転位相の時間変化に基づいて前記回転子の回転速度を推定する速度推定手段と、
前記位相補正手段によって補正された回転位相を基準とした回転座標系における駆動電流の電流値を、前記指令速度と前記回転速度との偏差が小さくなるように制御する速度フィードバックを行うことによって前記モータを制御する第１の制御モードを備えるモータ制御手段と、
を有し、
前記位相補正手段は、前記モータ制御手段が前記モータを所定の回転速度で駆動している状態において前記位相推定手段によって推定された回転位相と前記所定の回転速度とに基づいて、前記モータ制御手段が前記第１の制御モードを用いて前記モータを所定の回転速度で駆動している状態において前記位相推定手段によって推定された回転位相を補正することを特徴とするモータ制御装置。
【請求項７】
前記モータ制御手段は、前記モータの巻線に所定の電流を供給することによって前記モータを制御する第２の制御モードを備え、
前記位相補正手段は、前記モータ制御手段が前記第２の制御モードを用いて前記モータを所定の回転速度で駆動している状態において前記位相推定手段によって推定された回転位相を、該位相が推定された時刻と対応させて所定の周期分だけ記憶する記憶手段を有し、
更に、前記位相補正手段は、前記記憶手段に記憶された前記所定の周期分の回転位相と前記所定の回転速度とに基づいて、前記モータ制御手段が前記第１の制御モードを用いて前記モータを所定の回転速度で駆動している状態において前記位相推定手段によって推定された回転位相を補正する際に用いられる位相補正テーブルを作成し、前記電圧補正テーブルを前記記憶手段に記憶し、
更に、前記位相補正手段は、前記記憶手段に記憶された位相補正テーブルに基づいて前記回転位相を補正することを特徴とする請求項５又は６に記載のモータ制御装置。
【請求項８】
前記位相補正手段は、前記モータの回転速度毎に位相補正テーブルを作成して、前記位相補正テーブルを前記記憶手段に記憶し、
更に、前記位相補正手段は、前記記憶手段に記憶された、前記モータ制御手段が前記第１の制御モードを用いて前記モータを駆動する際の前記モータの回転速度に対応する位相補正テーブルに基づいて、前記回転位相を補正することを特徴とする請求項７に記載のモータ制御装置。
【請求項９】
更に、前記モータ制御装置は、前記位相推定手段によって推定された回転位相に基づいて、前記電流検出手段によって検出された静止座標系の電流値を前記回転座標系の電流値へと座標変換する座標変換手段を有し、
前記モータ制御手段は、前記指令位相と前記位相推定手段によって推定された回転位相との偏差が小さくなるように前記回転座標系における駆動電流の電流値を生成して出力し、    
前記電圧生成手段は、前記モータ制御手段から出力された電流値と前記座標変換手段によって座標変換された電流値との偏差が小さくなるように前記回転座標系の駆動電圧を生成することを特徴とする請求項１、請求項１を引用する請求項３および４、請求項５、請求項５を引用する請求項７および８のいずれか一項に記載のモータ制御装置。
【請求項１０】
前記モータ制御装置は、前記電圧生成手段によって生成された前記回転座標系の駆動電圧を前記静止座標系の駆動電圧に座標逆変換する座標逆変換手段を有し、
前記電流供給手段は、前記座標逆変換手段によって座標逆変換された駆動電圧によって駆動されることを特徴とする請求項９に記載のモータ制御装置。
【請求項１１】
前記モータ制御装置は、前記速度推定手段によって推定された回転速度に基づいて、前記電流検出手段によって検出された静止座標系の電流値を前記回転座標系の電流値へと座標変換する座標変換手段を有し、
前記モータ制御手段は、前記指令速度と前記速度推定手段によって推定された回転速度との偏差が小さくなるように前記回転座標系における駆動電流の電流値を生成して出力し、
前記電圧生成手段は、前記モータ制御手段から出力された電流値と前記座標変換手段によって座標変換された電流値との偏差が小さくなるように前記回転座標系の駆動電圧を生成することを特徴とする請求項２、請求項２を引用する請求項３および４、請求項６、請求項６を引用する請求項７および８のいずれか一項に記載のモータ制御装置。
【請求項１２】
前記モータ制御装置は、前記電圧生成手段によって生成された前記回転座標系の駆動電圧を前記静止座標系の駆動電圧に座標逆変換する座標逆変換手段を有し、
前記電流供給手段は、前記座標逆変換手段によって座標逆変換された駆動電圧によって駆動されることを特徴とする請求項１１に記載のモータ制御装置。
【請求項１３】
前記誘起電圧推定手段によって推定された誘起電圧の値は、前記モータの回転子の着磁ムラに起因する周期的な誤差を含んでいることを特徴とする請求項１乃至１２のいずれか一項に記載のモータ制御装置。
【請求項１４】
前記誘起電圧推定手段によって推定された誘起電圧の値は、前記モータの回転子と固定子とのギャップムラに起因する周期的な誤差を含んでいることを特徴とする請求項１乃至１３のいずれか一項に記載のモータ制御装置。
【請求項１５】
前記モータ制御装置は、
前記第１の制御モードにおける前記駆動電流の制御を実行するための第１の制御回路と、
前記第２の制御モードにおける前記駆動電流の制御を実行するための第２の制御回路と、
上位装置から出力される指令に基づいて、前記第１の制御回路を用いて前記モータを制御するか、前記第２の制御回路を用いて前記モータを制御するかを切り替える制御切替手段と、
を有することを特徴とする請求項３、請求項４、請求項７乃至１４のいずれか一項に記載のモータ制御装置。
【請求項１６】
前記駆動電流は、前記回転座標系において、前記回転子にトルクを発生させるトルク電流成分と前記回転子の磁束強度に影響する励磁電流成分とを用いて表され、
前記第１の制御回路は、前記励磁電流成分の値を０になるように制御し、前記トルク電流成分の値を制御することによって、前記モータを制御することを特徴とする請求項１５に記載のモータ制御装置。
【請求項１７】
記録媒体に画像を形成する画像形成装置であって、
負荷を駆動するモータと、
請求項１乃至１６のいずれか一項に記載のモータ制御装置と、
を有し、
前記モータ制御装置は、前記負荷を駆動するモータの駆動を制御することを特徴とする画像形成装置。
【請求項１８】
前記負荷は、前記記録媒体を搬送する搬送ローラであることを特徴とする請求項１７に記載の画像形成装置。
【発明の詳細な説明】
【技術分野】
【０００１】
本発明は、モータの駆動を制御するモータ制御装置に関する。
【背景技術】
【０００２】
従来、モータを制御する方法として、モータの回転子の回転位相を基準とした回転座標系における電流値を制御することによってモータを制御する、ベクトル制御と称される制御方法が知られている。具体的には、例えば、回転子の指令位相と回転位相との偏差が小さくなるように前記電流値を制御する位相フィードバック制御を行うことによってモータを制御する。また、回転子の指令速度と回転速度との偏差が小さくなるように前記電流値を制御する速度フィードバック制御を行うことによってモータを制御する手法もある。
【０００３】
ベクトル制御を用いると、モータの巻線に供給する駆動電流を、回転子が回転するためのトルクを発生させる電流成分（ｑ軸電流）と、回転子の磁束強度に影響する電流成分（ｄ軸電流）とに分けて制御することができる。この結果、回転子にかかる負荷トルクが変化しても、負荷トルクの変化に応じてｑ軸電流を制御することによって、回転に必要なトルクを効率的に発生させることができる。即ち、従来問題とされていた、回転子にかかる負荷トルクがモータの巻線に供給した駆動電流に対応した出力トルクを超えて、回転子が入力信号に同期しない制御不能な状態（脱調状態）になることを防止することができる。また、消費電力の増大や、余剰トルクに起因したモータ音の増大を抑制することができる。
【０００４】
ベクトル制御では、回転子の回転位相を推定する構成が必要となる。特許文献１では、モータの各相の巻線に発生する誘起電圧の比の逆正接を演算して回転子の回転位相を推定する推定方法が述べられている。
【先行技術文献】
【特許文献】
【０００５】
【特許文献１】特表２０１２−５０９０５６号
【発明の概要】
【発明が解決しようとする課題】
【０００６】
回転子が一定速度で回転している場合における、巻線に発生する誘起電圧の値は、回転子の着磁や固定子と回転子とのギャップが均一であれば、正弦波状に変化する。しかしながら、実際には回転子の着磁ムラや固定子と回転子とのギャップムラ等があることによって、回転子が一定速度で回転している場合であっても、誘起電圧の波形は歪んだ波形になってしまう。波形の歪んだ誘起電圧に基づいて回転位相を推定すると、推定された回転位相の波形にも歪みが生じてしまう。この結果、実際の回転位相と推定された回転位相とに誤差が生じてしまう。したがって、推定された回転位相に基づいてモータを制御すると、モータの制御が不安定になってしまう。そのため、誘起電圧の波形に生じる歪みを低減するための良い構成が求められていた。
【０００７】
本発明は、誘起電圧の波形に生じる歪みを低減することを目的とする。
【課題を解決するための手段】
【０００８】
上記課題を解決するために、本発明は、
モータの回転子の目標位相を表す指令位相に基づいて前記モータを制御するモータ制御装置において、
前記モータの第１相の巻線及び第２相の巻線に駆動電流を供給する電流供給手段と、
前記電流供給手段を駆動する駆動電圧を生成する電圧生成手段と、
前記電流供給手段によって前記第１相の巻線及び第２相の巻線に供給された駆動電流の電流値を検出する電流検出手段と、
前記電圧生成手段によって生成された駆動電圧と、前記電流検出手段によって検出された電流値とに基づいて、前記モータの回転子の回転によって前記第１相の巻線及び第２相の巻線に誘起される誘起電圧を推定する誘起電圧推定手段と、
前記誘起電圧推定手段によって推定された前記第１相の巻線及び第２相の巻線の誘起電圧の値を補正する誘起電圧補正手段と、
前記誘起電圧補正手段によって補正された前記第１相の誘起電圧の値と前記第２相の誘起電圧の値とに基づいて前記モータの回転子の回転位相を推定する位相推定手段と、
前記位相推定手段によって推定された回転位相を基準とした回転座標系における駆動電流の電流値を、前記指令位相と前記回転位相との偏差が小さくなるように制御する位相フィードバックを行うことによって前記モータを制御する第１の制御モードを備えるモータ制御手段と、
を有し、
前記誘起電圧補正手段は、前記モータ制御手段が前記モータを所定の回転速度で駆動している状態において前記誘起電圧推定手段によって推定された誘起電圧の値に基づいて、前記モータ制御手段が前記第１の制御モードを用いて前記モータを所定の回転速度で駆動している状態において前記誘起電圧推定手段によって推定された誘起電圧の値を補正することを特徴とする。
【発明の効果】
【０００９】
本発明によれば、誘起電圧の波形に生じる歪みを低減することができる。
【図面の簡単な説明】
【００１０】
【図１】第１実施形態に係る画像形成装置を説明する断面図である。
【図２】前記画像形成装置の制御構成を示すブロック図である。
【図３】第１実施形態に係るモータ制御装置の構成を示すブロック図である。
【図４】Ａ相及びＢ相から成る２相のモータと回転座標系のｄ軸及びｑ軸との関係を示す図である。
【図５】モータが一定速度で回転している状態においてＡ相の巻線及びＢ相の巻線に発生する誘起電圧の波形を示す図である。
【図６】指令速度ω＿ｒｅｆの変化を示す図である。
【図７】誘起電圧の値を補正する際に用いられる電圧補正テーブルを示す図である。
【図８】前記モータ制御装置を用いて電圧補正テーブルを作成する方法を示すフローチャートである。
【図９】誘起電圧Ｅα及びＥβを補正する方法を示すフローチャートである。
【図１０】モータが一定速度で回転している状態における回転位相の波形を示す図である。
【図１１】第２実施形態に係るモータ制御装置の構成を示すブロック図である。
【図１２】回転位相を補正する際に用いられる位相補正テーブルを示す図である。
【図１３】前記モータ制御装置を用いて位相補正テーブルを作成する方法を示すフローチャートである。
【図１４】回転位相を補正する方法を示すフローチャートである。
【発明を実施するための形態】
【００１１】
以下に図面を参照して、本発明の好適な実施の形態を説明する。ただし、この実施の形態に記載されている構成部品の形状及びそれらの相対配置などは、この発明が適用される装置の構成や各種条件により適宜変更されるべきものであり、この発明の範囲を以下の実施の形態に限定する趣旨のものではない。なお、モータ制御装置が設けられるのは画像形成装置に限定されるわけではない。
【００１２】
〔第１実施形態〕
［画像形成装置］
図１は、本実施形態で用いられている画像形成装置であるモノクロの電子写真方式の複写機（以下、画像形成装置と称する）１００の構成を示す断面図である。なお、画像形成装置は複写機に限定されず、例えば、ファクシミリ装置、印刷機、プリンタ等であっても良い。また、記録方式は、電子写真方式に限らず、例えば、インクジェット等であっても良い。更に、画像形成装置はモノクロ及びカラーのいずれの形式であっても良い。
【００１３】
以下に、図１を用いて、画像形成装置１００の構成および機能について説明する。画像形成装置１００には、原稿自動送り装置２０１、原稿読取装置２０２及び画像形成装置本体３０１が設けられている。
【００１４】
原稿自動送り装置２０１の原稿載置部２０３に載置された原稿は、給紙ローラ２０４によって１枚ずつ給紙され、搬送ガイド２０６に沿って原稿読取装置２０２の原稿ガラス台２１４上に搬送される。更に、原稿は、搬送ベルト２０８によって一定速度で搬送されて、排紙ローラ２０５によって原稿自動送り装置２０１の外部に設けられた不図示の排紙トレイへ排紙される。この間、原稿読取装置２０２の読取位相において照明２０９によって照明された原稿画像からの反射光は、反射ミラー２１０、２１１、２１２からなる光学系によって画像読取部１０１に導かれ、画像読取部１０１によって画像信号に変換される。画像読取部１０１は、レンズ、光電変換素子であるＣＣＤ、ＣＣＤの駆動回路等で構成される。画像読取部１０１から出力された画像信号は、ＡＳＩＣ等のハードウェアデバイスで構成される画像処理部１１２によって、各種補正処理が行われた後、画像形成装置本体３０１へ出力される。前述の如くして、原稿の読取が行われる。
【００１５】
また、読取装置２０２における原稿の読取モードとして、流し読みモードと固定読みモードがある。流し読みモードは、照明系２０９及び光学系を所定の位相に固定した状態で、原稿を一定速度で搬送しながら原稿の画像を読み取るモードである。固定読みモードは、読取装置２０２の原稿ガラス２１４上に原稿を載置し、照明系２０９及び光学系を一定速度で移動させながら、原稿ガラス２１４上に載置された原稿の画像を読み取るモードである。通常、シート状の原稿は流し読みモードで読み取られ、本や冊子等の綴じられた原稿は固定読みモードで読み取られる。
【００１６】
画像形成装置本体３０１の内部には、シート収納トレイ３０２、３０４が設けられている。シート収納トレイ３０２、３０４には、それぞれ異なる種類の記録媒体を収納することができる。例えば、シート収納トレイ３０２にはＡ４の普通紙が収納され、シート収納トレイ３０４にはＡ４の厚紙が収納される。なお、記録媒体とは、画像形成装置によって画像が形成されるものであって、例えば、用紙、樹脂シート、布、ＯＨＰシート、ラベル等が含まれる。
【００１７】
シート収納トレイ３０２に収納された記録媒体は、給紙ローラ３０３によって給送されて、搬送ローラ３０６によってレジストレーションローラ３０８へ送り出される。また、シート収納トレイ３０４に収納された記録媒体は、給紙ローラ３０５によって給送されて、搬送ローラ３０７及び３０６によってレジストレーションローラ３０８へ送り出される。
【００１８】
読取装置２０２から出力された画像信号は、半導体レーザ及びポリゴンミラーを含んでいる光走査装置３１１に入力される。また、感光ドラム３０９は、帯電器３１０によって外周面が帯電される。感光ドラム３０９の外周面が帯電された後、読取装置２０２から光走査装置３１１に入力された画像信号に応じたレーザ光が、光走査装置３１１からポリゴンミラー及びミラー３１２、３１３を経由し、感光ドラム３０９の外周面に照射される。この結果、感光ドラム３０９の外周面に静電潜像が形成される。なお、感光ドラムの帯電方法は、例えば、コロナ帯電器や帯電ローラを用いた帯電方法を用いる。
【００１９】
続いて、その静電潜像が現像器３１４内のトナーによって現像され、感光ドラム３０９の外周面にトナー像が形成される。感光ドラム３０９に形成されたトナー像は、感光ドラム３０９と対向する位相（転写位相）に設けられた転写分離器３１５によって記録媒体に転写される。この際、レジストレーションローラ３０８は、トナー像にタイミングを合わせて、記録媒体を転写位相へ送り込む。
【００２０】
前述の如くして、トナー像が転写された記録媒体は、搬送ベルト３１７によって定着器３１８へ送り込まれ、定着器３１８によって加熱加圧されて、トナー像が記録媒体に定着される。このようにして、画像形成装置１００によって記録媒体に画像が形成される。
【００２１】
片面印刷モードで画像形成が行われる場合は、定着器３１８を通過した記録媒体は、排紙ローラ３１９、３２４によって、不図示の排紙トレイへ排紙される。また、両面印刷モードで画像形成が行われる場合は、定着器３１８によって記録媒体の第１面に定着処理が行われた後に、記録媒体は、排紙ローラ３１９、搬送ローラ３２０、及び反転ローラ３２１によって、反転パス３２５へと搬送される。その後、記録媒体は、搬送ローラ３２２、３２３によって再度レジストレーションローラ３０８へと搬送され、前述した方法で記録媒体の第２面に画像が形成される。その後、記録媒体は、排紙ローラ３１９、３２４によって不図示の排紙トレイへ排紙される。
【００２２】
また、第１面に画像形成された記録媒体を、第１面が下向きになるように反転させて画像形成装置１００の外部へ排紙する場合は、定着器３１８を通過した記録媒体を、排紙ローラ３１９を通って搬送ローラ３２０へ向かう方向へ搬送する。その後、記録媒体の後端が搬送ローラ３２０のニップ部を通過する直前に、搬送ローラ３２０の回転を反転させる。この結果、記録媒体の第１面が下向きになった状態で、記録媒体を排紙ローラ３２４へ向かう方向へ搬送し、画像形成装置１００の外部へ排紙することができる。
【００２３】
以上が画像形成装置１００の構成および機能についての説明である。なお、本発明における負荷とはモータによって駆動される対象物である。例えば、給紙ローラ２０４、３０３、３０５、レジストレーションローラ３０８及び排紙ローラ３１９等の各種ローラ（搬送ローラ）や感光ドラム３０９、搬送ベルト２０８、３１７、照明系２０９及び光学系等は本発明における負荷に対応する。本実施形態のモータ制御装置は、これら負荷を駆動するモータに適用することができる。
【００２４】
図２は、画像形成装置１００の制御構成の例を示すブロック図である。システムコントローラ１５１は、図２に示すように、ＣＰＵ１５１ａ（上位装置）、ＲＯＭ１５１ｂ、ＲＡＭ１５１ｃを備えている。また、システムコントローラ１５１は、画像処理部１０２、操作部１５２、アナログ・デジタル（Ａ／Ｄ）変換器１５３、高圧制御部１５５、モータ制御装置１５７、ＤＣ負荷制御部１５８、センサ類１５９、ＡＣドライバ１６０と接続されている。システムコントローラ１５１は、接続された各ユニットとの間でデータやコマンドの送受信をすることが可能である。
【００２５】
ＣＰＵ１５１ａは、ＲＯＭ１５１ｂに格納された各種プログラムを読み出して実行することによって、予め定められた画像形成シーケンスに関連する各種シーケンスを実行する。
【００２６】
ＲＡＭ１５１ｃは記憶デバイスである。ＲＡＭ１５１ｃには、例えば、高圧制御部１５５に対する設定値、モータ制御装置１５７に対する指令値及び操作部１５２から受信される情報等の各種データが格納される。
【００２７】
システムコントローラ１５１は、画像処理部１０２における画像処理に必要となる、画像形成装置１００の内部に設けられた各種装置の設定値データを画像処理部１０２に送信する。更に、システムコントローラ１５１は、各種装置からの信号（センサ類１５９からの信号）を受信して、受信した信号に基づいて高圧制御部１５５の設定値を設定する。高圧制御部１５５は、システムコントローラ１５１によって設定された設定値に応じて、高圧ユニット１５６（帯電器３１０、現像器３１４、転写分離器３１５等）に必要な電圧を供給する。
【００２８】
モータ制御装置１５７は、ＣＰＵ１５１ａから出力された指令に応じて、前述した負荷を駆動するモータ５０９を制御する。
【００２９】
Ａ／Ｄ変換器１５３は、定着ヒータ１６１の温度を検出するためのサーミスタ１５４が検出した検出信号を受信し、前記検出信号をアナログ信号からデジタル信号に変換してシステムコントローラ１５１に送信する。システムコントローラ１５１は、Ａ／Ｄ変換器１５３から受信したデジタル信号に基づいて、ＡＣドライバ１６０の制御を行う。ＡＣドライバ１６０は、定着ヒータ１６１の温度が定着処理を行うために必要な温度となるように定着ヒータ１６１を制御する。なお、定着ヒータ１６１は、定着処理に用いられるヒータであり、定着器３１８に含まれる。
【００３０】
システムコントローラ１５１は、使用する記録媒体の種類（以下、紙種と称する）等の設定をユーザが行うための操作画面を、操作部１５２に設けられた表示部に表示するように、操作部１５２を制御する。システムコントローラ１５１は、使用する紙種等のユーザが設定した情報を操作部１５２から受信し、前記ユーザが設定した情報に基づいて画像形成装置１００の動作シーケンスを制御する。また、システムコントローラ１５１は、画像形成装置の状態を示す情報を操作部１５２に送信する。なお、画像形成装置の状態を示す情報とは、例えば、画像形成枚数、画像形成中か否か、ジャム発生及びその発生箇所等の情報である。操作部１５２は、システムコントローラ１５１から受信した情報を表示部に表示する。
【００３１】
前述の如くして、システムコントローラ１５１は、画像形成装置１００の動作シーケンスを制御する。
【００３２】
［ベクトル制御］
次に、本実施形態におけるモータ制御装置について説明する。本実施形態におけるモータ制御装置は、ベクトル制御（第１の制御モード）と定電流制御（第２の制御モード）とのいずれの制御方法でもモータを制御することができる。なお、以下の説明においては、負荷を駆動するモータとしてステッピングモータが用いられているが、これに限定されるものではない。また、モータは２相モータであるとは限らない。更に、本実施形態におけるモータには、モータの回転子の回転位相を検出するためのロータリエンコーダなどのセンサは設けられていないものとする。
【００３３】
図３は、ステッピングモータ（以下、モータと称する）５０９を制御するモータ制御装置１５７の構成の例を示すブロック図である。本実施形態におけるモータ制御装置１５７には、定電流制御を行う定電流制御器５１７、ベクトル制御を行うベクトル制御器５１８が設けられている。さらに、モータ制御装置１５７には、定電流制御器５１７を用いてモータ５０９を制御するか、ベクトル制御器５１８を用いてモータ５０９を制御するかを切り替える構成が設けられている。具体的には制御切替スイッチ５１６ａ、５１６ｂ、５１６ｃ（以下、各スイッチと称する）等が設けられている。なお、定電流制御器５１７、ベクトル制御器５１８、各スイッチ５１６ａ、５１６ｂ、５１６ｃは、本実施形態におけるモータ制御手段に対応している。また、本実施形態における第１の制御回路は、ベクトル制御器５１８を用いてモータ５０９の駆動を制御する回路に相当する。更に、本実施形態における第２の制御回路は、定電流制御器５１７を用いてモータ５０９の駆動を制御する回路に相当する。なお、本実施形態におけるモータ制御装置は、ベクトル制御を行う回路と定電流制御を行う回路とにおいて、一部共有している部分（電流制御器５０３、ＰＷＭインバータ５０６等）があるが、この限りではない。即ち、ベクトル制御を行う回路と定電流制御を行う回路とがそれぞれ独立に設けられている構成であっても良い。
【００３４】
まず、図３及び図４を用いて、本実施形態におけるモータ制御装置１５７がベクトル制御を行う方法について説明する。
【００３５】
図４は、Ａ相（第１相）とＢ相（第２相）の２相から成るモータ５０９と回転座標系のｄ軸及びｑ軸との関係を示す図である。図４では、静止座標系において、Ａ相の巻線に対応した軸をα軸、Ｂ相の巻線に対応した軸をβ軸と定義している。また、静止座標系におけるα軸と、回転子４０２に用いられている永久磁石の磁極によって作られる磁束の方向（ｄ軸方向）との成す角度をθと定義している。回転子４０２の回転位相は、角度θによって表される。ベクトル制御では、回転子４０２の磁束方向に沿ったｄ軸と、ｄ軸から反時計回りに９０度進んだ方向に沿った（ｄ軸と直交する）ｑ軸とで表される、モータ５０９の回転子４０２の回転位相θを基準とした回転座標系が用いられる。
【００３６】
ベクトル制御とは、モータの回転子の回転位相を基準とした回転座標系における電流値を制御することによってモータを制御する制御方法である。具体的には、例えば、回転子の目標位相を表す指令位相と回転位相との偏差が小さくなるように前記電流値を制御する位相フィードバック制御を行うことによってモータを制御する。なお、回転子の目標速度を表す指令速度と回転速度との偏差が小さくなるように前記電流値を制御する速度フィードバック制御を行うことによってモータを制御する手法もある。回転座標系における電流値とは、モータの回転子にトルクを発生させるｑ軸成分（トルク電流成分）の電流値と、モータの回転子の磁束強度に影響するｄ軸成分（励磁電流成分）の電流値とに対応する。
【００３７】
モータ制御装置１５７には、ベクトル制御を行う回路として、位相制御器５０２、電流制御器５０３、座標逆変換器５０５、座標変換器５１１、モータの巻線に駆動電流を供給するＰＷＭインバータ５０６等が設けられている。座標変換器５１１は、モータ５０９のＡ相及びＢ相の巻線に流れる駆動電流に対応する電流ベクトルを、α軸及びβ軸で表される静止座標系から、ｑ軸及びｄ軸で表される回転座標系に座標変換する。この結果、モータ５０９のＡ相及びＢ相の巻線に供給する駆動電流を、回転座標系において、ｑ軸成分の電流値（ｑ軸電流）及びｄ軸成分の電流値（ｄ軸電流）を用いて表すことができる。なお、ｑ軸電流は、モータ５０９の回転子４０２にトルクを発生させるトルク電流に相当する。また、ｄ軸電流は、モータ５０９の回転子４０２の磁束強度に影響する励磁電流に相当し、回転子４０２のトルクの発生には寄与しない。モータ制御装置１５７は、ｑ軸電流及びｄ軸電流をそれぞれ独立に制御することができる。即ち、回転子４０２が回転するために必要なトルクを、効率的に発生させることができる。
【００３８】
モータ制御装置１５７は、モータ５０９の回転子４０２の回転位相θを後述する方法により推定し、その推定結果に基づいてベクトル制御を行う。ＣＰＵ１５１ａは、モータ５０９の回転子４０２の目標位相を表す指令位相θ＿ｒｅｆを生成し、所定の時間周期で指令位相θ＿ｒｅｆをモータ制御装置１５７へ出力する。
【００３９】
加算器１０１は、モータ５０９の回転子４０２の回転位相θと指令位相θ＿ｒｅｆとの偏差を演算し、該偏差を位相制御器５０２に出力する。
【００４０】
位相制御器５０２は、比例（Ｐ）、積分（Ｉ）補償器から構成されている。位相制御器５０２は、比例（Ｐ）、積分（Ｉ）補償器を用いて、加算器１０１から出力された偏差が小さくなるように、ｑ軸電流指令値ｉｑ＿ｒｅｆ及びｄ軸電流指令値ｉｄ＿ｒｅｆを生成して出力する。具体的には、位相制御器５０２は、比例（Ｐ）、積分（Ｉ）補償器を用いて、加算器１０１から出力された偏差が０になるように、ｑ軸電流指令値ｉｑ＿ｒｅｆ及びｄ軸電流指令値ｉｄ＿ｒｅｆを生成して出力する。なお、本実施形態における位相制御器５０２は、比例（Ｐ）、積分（Ｉ）補償器から構成されているが、比例（Ｐ）、積分（Ｉ）、微分（Ｄ）補償器から構成されていても良い。また、回転子４０２に永久磁石を用いる場合、通常は回転子４０２の磁束強度に影響するｄ軸電流指令値ｉｄ＿ｒｅｆは０に設定されるが、これに限定されるものではない。
【００４１】
モータ５０９のＡ相及びＢ相の巻線に流れる駆動電流は、電流検出器５０７、５０８によって検出され、その後、Ａ／Ｄ変換器５１０によってアナログ値からデジタル値へと変換される。
【００４２】
Ａ／Ｄ変換器５１０によってアナログ値からデジタル値へと変換された駆動電流は、静止座標系における電流値ｉα及びｉβとして、図４に示す電流ベクトルの大きさＩと電流ベクトルの位相θｅとを用いて次式によって表される。なお、電流ベクトルの位相θｅは、ｄ軸方向と電流ベクトルとの成す角度と定義する。
ｉα＝Ｉ＊ｃｏｓθｅ                                                （１）
ｉβ＝Ｉ＊ｓｉｎθｅ                                                （２）
これらの電流値ｉα及びｉβは、座標変換器５１１とローパスフィルタ５１４に入力される。
【００４３】
座標変換器５１１において、電流値ｉα及びｉβは、次式によって回転座標系におけるｑ軸電流の電流値ｉｑ及びｄ軸電流の電流値ｉｄに座標変換される。
ｉｄ＝  ｃｏｓθ＊ｉα＋ｓｉｎθ＊ｉβ                              （３）
ｉｑ＝−ｓｉｎθ＊ｉα＋ｃｏｓθ＊ｉβ                              （４）
前述のように、座標変換器５１１は、モータ５０９のＡ相及びＢ相の巻線に流れる駆動電流に対応する電流ベクトルを、α軸及びβ軸で表される静止座標系から、ｑ軸及びｄ軸で表される回転座標系に座標変換する。
【００４４】
加算器１０２は、位相制御器５０２から出力されたｉｑ＿ｒｅｆと座標変換器５１１から出力された前記電流値ｉｑとの偏差を演算し、該偏差を電流制御器５０３に出力する。また、加算器１０３は、位相制御器５０２から出力されたｉｄ＿ｒｅｆと座標変換器５１１から出力された前記電流値ｉｄとの偏差を演算し、該偏差を電流制御器５０３に出力する。
【００４５】
電流制御器５０３は、比例（Ｐ）、積分（Ｉ）補償器から構成されている。電流制御器５０３は、前記偏差がそれぞれ小さくなるように電流値ｉｑ＊及びｉｄ＊を生成する。具体的には、電流制御器５０３は、前記偏差がそれぞれ０になるように電流値ｉｑ＊及びｉｄ＊を生成する。その後、電流制御器５０３は、それぞれの電流値ｉｑ＊及びｉｄ＊に対応した駆動電圧Ｖｑ及びＶｄを生成して座標逆変換器５０５に出力する。なお、本実施形態における電流制御器５０３は、比例（Ｐ）、積分（Ｉ）補償器から構成されているが、比例（Ｐ）、積分（Ｉ）、微分（Ｄ）補償器から構成されていても良い。
【００４６】
座標逆変換器５０５は、電流制御器５０３から出力された回転座標系における駆動電圧Ｖｑ及びＶｄを、次式によって、静止座標系における駆動電圧Ｖα及びＶβに座標逆変換する。
Ｖα＝ｃｏｓθ＊Ｖｄ−ｓｉｎθ＊Ｖｑ                                （５）
Ｖβ＝ｓｉｎθ＊Ｖｄ＋ｃｏｓθ＊Ｖｑ                                （６）
【００４７】
座標逆変換器５０５は、回転座標系における駆動電圧Ｖｑ及びＶｄを静止座標系における駆動電圧Ｖα及びＶβに座標逆変換した後、Ｖα及びＶβをローパスフィルタ５１４とＰＷＭインバータ５０６に出力する。なお、本実施形態においては、電流値ｉｑ＊及びｉｄ＊に対応した駆動電圧Ｖｑ及びＶｄを生成し、前記駆動電圧Ｖｑ及びＶｄを座標逆変換することによって静止座標系における駆動電圧Ｖα及びＶβを得たが、この限りではない。例えば、電流値ｉｑ＊及びｉｄ＊を静止座標系における電流値ｉα＊及びｉβ＊に座標逆変換し、前記電流値ｉα＊及びｉβ＊に対応した駆動電圧Ｖα及びＶβを生成する構成であっても良い。
【００４８】
ＰＷＭインバータ５０６は、フルブリッジ回路を有している。フルブリッジ回路は座標逆変換器５０５から入力された駆動電圧Ｖα及びＶβによって駆動される。その結果、ＰＷＭインバータ５０６は、駆動電圧Ｖα及びＶβに応じた駆動電流ｉα及びｉβを生成し、駆動電流ｉα及びｉβをモータ５０９の各相の巻線に供給することによって、モータ５０９を駆動させる。なお、本実施形態においては、ＰＷＭインバータはフルブリッジ回路を有しているが、ハーフブリッジ回路等であっても良い。
【００４９】
次に、回転子４０２の回転位相θの推定方法について説明する。回転子４０２の回転位相θの推定には、回転子４０２の回転によってモータ５０９のＡ相及びＢ相の巻線に誘起される誘起電圧Ｅα及びＥβの値が用いられる。誘起電圧の値は誘起電圧推定器５１２によって算出される。具体的には、誘起電圧推定器５１２が、ローパスフィルタ５１４によって高周波成分が除去された電流値ｉα及びｉβと駆動電圧Ｖα及びＶβとに基づいて、次式によって、誘起電圧Ｅα及びＥβを演算する。
Ｅα＝Ｖα−Ｒ＊ｉα−Ｌ＊ｄｉα／ｄｔ                              （７）
Ｅβ＝Ｖβ−Ｒ＊ｉβ−Ｌ＊ｄｉβ／ｄｔ                              （８）
【００５０】
ここで、Ｒは巻線レジスタンス、Ｌは巻線インダクタンスである。Ｒ及びＬの値は使用されているモータ５０９に固有の値であり、ＲＯＭ１５１ｂ又はモータ制御装置１５７に設けられたメモリ（不図示）等に予め格納されている。
【００５１】
誘起電圧推定器５１２によって演算された誘起電圧Ｅα及びＥβは、誘起電圧補正器５１９に入力される。誘起電圧補正器５１９は、後述する方法によって、誘起電圧Ｅα及びＥβを補正し、補正した誘起電圧Ｅα＊及びＥβ＊を位相推定器５１３に出力する。
【００５２】
位相推定器５１３は、誘起電圧補正器５１９から出力された誘起電圧Ｅα＊と誘起電圧Ｅβ＊との比に基づいて、次式によってモータ５０９の回転子４０２の回転位相θを推定する。
θ＝ｔａｎ＾−１（−Ｅβ＊／Ｅα＊）                                    （９）
【００５３】
前述の如くして得られた回転子４０２の回転位相θは、加算器１０１、座標逆変換器５０５及び座標変換器５１１に入力され、その後は、前述の制御を繰り返し行う。
【００５４】
前述の如くして、本実施形態におけるベクトル制御では、指令位相θ＿ｒｅｆと回転位相θとの偏差が小さくなるように、回転座標系における電流値を制御する位相フィードバック制御を行うことによってモータを制御する。ベクトル制御を用いてモータを制御することによって、モータが脱調状態となることや、余剰トルクに起因してモータ音が増大すること及び消費電力が増大することを抑制することができる。なお、本実施形態におけるベクトル制御では、前述した位相フィードバック制御を行うことによってモータ５０９を制御しているが、これに限定されるものではない。例えば、回転子４０２の回転速度ωをフィードバックしてモータ５０９を制御する構成であっても良い。具体的には、モータ制御装置内部に速度推定器を設け、前記速度推定器が位相推定器５１３から出力された回転位相θの時間変化に基づいて回転速度ωを推定する。速度の推定には、次式を用いる。
【００５５】
ω＝ｄθ／ｄｔ                                                        （１０）
そして、ＣＰＵ１５１ａは回転子の目標速度を表す指令速度ω＿ｒｅｆを出力する。更に、モータ制御装置内部に速度制御器を設け、前記速度制御器が回転速度ωと指令速度ω＿ｒｅｆとの偏差が小さくなるように、ｑ軸電流指令値ｉｑ＿ｒｅｆ及びｄ軸電流指令値ｉｄ＿ｒｅｆを生成して出力する構成とする。以上のような速度フィードバック制御を行うことによって、モータ５０９を制御する構成であっても良い。なお、指令位相θ＿ｒｅｆを出力する場合であっても、ＣＰＵ１５１ａは、指令位相θ＿ｒｅｆに基づいて指令速度ω＿ｒｅｆを算出しているものとする。
【００５６】
［定電流制御］
次に、図３を用いて、定電流制御について説明する。定電流制御とは、モータの巻線に所定の電流を供給することによってモータを制御する制御方法である。具体的には、モータの巻線に供給する駆動電流の大きさが一定になるように前記駆動電流を制御することによって前記モータを制御する制御方法である。なお、定電流制御においては、前記位相フィードバック制御と速度フィードバック制御とのいずれも行わない。
【００５７】
ＣＰＵ１５１ａは、モータ制御装置１５７に設けられた定電流制御器５１７に指令位相θ＿ｒｅｆを出力する。定電流制御器５１７は、ＣＰＵ１５１ａから出力された指令位相θ＿ｒｅｆに対応した、静止座標系における電流の指令値ｉα＿ｒｅｆ及びｉβ＿ｒｅｆを生成して出力する。なお、本実施形態においては、定電流制御を行う際に指令位相θ＿ｒｅｆを用いたが、この限りではない。例えば、指令速度ω＿ｒｅｆを定電流制御器に出力し、定電流制御器は、指令速度ω＿ｒｅｆに対応した、静止座標系における電流の指令値ｉα＿ｒｅｆ及びｉβ＿ｒｅｆを生成して出力する、という構成であっても良い。
【００５８】
電流検出器５０７、５０８はモータ５０９のＡ相及びＢ相の巻線に流れる駆動電流を検出する。その後、検出された駆動電流は、Ａ／Ｄ変換器５１０によってアナログ値からデジタル値へと変換され、式（１）及び（２）のように電流値ｉα及びｉβとして表される。電流制御器５０３には、電流値ｉαと前記指令値ｉα＿ｒｅｆとの偏差及び電流値ｉβと前記指令値ｉβ＿ｒｅｆとの偏差が入力される。電流制御器５０３は、前記偏差が小さくなるようにｉα´及びｉβ´を生成して、それぞれの電流値ｉα´及びｉβ´に対応した駆動電圧Ｖα及びＶβを出力する。具体的には、前記偏差がそれぞれ０に近づくようにｉα´及びｉβ´を生成して、それぞれの電流値ｉα´及びｉβ´に対応した駆動電圧Ｖα及びＶβを出力する。電流制御器５０３から出力された駆動電圧Ｖα及びＶβは、ＰＷＭインバータ５０６に入力され、ＰＷＭインバータ５０６は前述した方法でモータ５０９の各相の巻線に駆動電流を供給してモータ５０９を駆動させる。
【００５９】
［ベクトル制御と定電流制御との切替］
前述したように、本実施形態におけるモータ制御装置１５７には、定電流制御器５１７を用いてモータ５０９の駆動を制御するか、ベクトル制御器５１８を用いてモータ５０９の駆動を制御するかを切り替える構成が設けられている。以下に、本実施形態における、定電流制御とベクトル制御との制御切り替え方法について説明する。図３に示すように、本実施形態におけるモータ制御装置１５７には、定電流制御とベクトル制御とを切り替える構成が設けられている。具体的には、各スイッチ５１６ａ、５１６ｂ、５１６ｃ等が設けられている。
【００６０】
ＣＰＵ１５１ａは、各スイッチ５１６ａ、５１６ｂ、５１６ｃの状態を制御することによって、モータの駆動を制御する制御器を切り替える。例えば、ベクトル制御を行う場合は、ＣＰＵ１５１ａは、モータ５０９の駆動を制御する制御器がベクトル制御器５１８となるように各スイッチ５１６ａ、５１６ｂ、５１６ｃの状態を制御する。その結果、ベクトル制御器５１８によるベクトル制御が行われる。また、定電流制御を行う場合は、ＣＰＵ１５１ａは、モータ５０９の駆動を制御する制御器が定電流制御器５１７となるように各スイッチ５１６ａ、５１６ｂ、５１６ｃの状態を制御する。その結果、定電流制御器５１７による定電流制御が行われる。
【００６１】
［誘起電圧の補正］
図５は、本実施形態におけるＡ相の巻線及びＢ相の巻線に発生する誘起電圧の波形を示す図である。
【００６２】
前述のように、回転子が一定速度で回転している場合における、巻線に発生する誘起電圧の値は、回転子の着磁や固定子と回転子とのギャップが均一であれば、図５に示す一点鎖線及び二点鎖線のように、時間の経過に伴って正弦波状に変化する。しかしながら、実際には回転子の着磁ムラや固定子と回転子とのギャップムラ等があることによって、回転子が一定速度で回転している場合であっても、誘起電圧の波形は、図５に示す実線及び点線のように歪んだ波形になってしまう。即ち、誘起電圧推定器５１２によって推定された誘起電圧の値には、回転子の着磁ムラや固定子と回転子とのギャップムラに起因する周期的な誤差が含まれてしまう。波形の歪んだ誘起電圧に基づいて回転位相を推定すると、推定された回転位相の波形にも歪みが生じてしまう。この結果、実際の回転位相と推定された回転位相とに誤差が生じてしまう。誤差を含む回転位相に基づいてモータを制御すると、モータの制御が不安定になってしまう。そのため、誘起電圧の波形に生じる歪みを低減するための良い構成が求められている。なお、図５に示す波形は本実施形態における一例であり、これに限定されるものではない。
【００６３】
図３に示すように、本実施形態においては、モータ制御装置１５７に誘起電圧補正器５１９が設けられている。また、誘起電圧補正器５１９の内部には、誘起電圧推定器５１２から出力された誘起電圧等を記憶するメモリ（不図示）が設けられている。
【００６４】
以下、図３、図５乃至７を用いて、誘起電圧補正演算器５１９が誘起電圧推定器５１２から出力された誘起電圧Ｅα及びＥβを補正する方法について説明する。なお、本実施形態においては、定電流制御を行っている期間も、ベクトル制御を行う回路は稼働しているものとする。即ち、定電流制御を行っている期間も、誘起電圧推定器５１２や誘起電圧補正器５１９等は稼働しているものとする。
【００６５】
本実施形態では、誘起電圧の値を補正する際に用いられる電圧補正テーブルを作成し、前記電圧補正テーブルに基づいて誘起電圧を補正する。
【００６６】
まず、電圧補正テーブルを作成する方法について説明する。
【００６７】
ＣＰＵ１５１ａは、モータ５０９の駆動を制御する制御器が定電流制御器５１７となるように各スイッチ５１６ａ、５１６ｂ、５１６ｃの状態を制御し、モータ制御装置１５７は定電流制御を行う。また、ＣＰＵ１５１ａは、指令位相θ＿ｒｅｆに基づいて指令速度ω＿ｒｅｆを算出し、誘起電圧補正器５１９に指令速度ω＿ｒｅｆを出力する。
【００６８】
図６は、本実施形態における指令速度ω＿ｒｅｆの変化を示す図である。なお、図６に示す指令速度の変化は一例であり、これに限定されるものではない。図６に示すように、ＣＰＵ１５１ａは、指令速度ω＿ｒｅｆが所定の回転速度ω＿ｃと等しくなる（ω＿ｒｅｆ＝ω＿ｃ）ように指令位相θ＿ｒｅｆを出力する。なお、所定の回転速度ω＿ｃは、例えば、ＲＯＭ１５１ｂ等に格納されている。
【００６９】
誘起電圧補正器５１９は、ＣＰＵ１５１ａから出力された指令速度ω＿ｒｅｆが所定の回転速度ω＿ｃと等しくなったら、誘起電圧推定器５１２から出力された誘起電圧Ｅα及びＥβを、時刻ｔと対応させて所定の周期分だけ前記メモリに記憶する。なお、前記所定の周期は１周期以上であれば良い。また、指令速度ω＿ｒｅｆが所定の回転速度ω＿ｃと等しい状態は、モータを所定の回転速度で駆動している状態に対応する。
【００７０】
誘起電圧補正器５１９は、前記メモリに記憶された所定の周期分の誘起電圧Ｅα及びＥβの最大値又は最小値（振幅）と前記所定の回転速度ω＿ｃに基づいて、図５に示す一点鎖線及び二点鎖線のような誘起電圧Ｅα´及びＥβ´を算出する。具体的には、誘起電圧Ｅα´及びＥβ´は、以下の式（１１）及び（１２）を用いて表される。
Ｅα´＝Ａ＊ｃｏｓ（ω＿ｃ＊ｔ）                                    （１１）
Ｅβ´＝Ｂ＊ｓｉｎ（ω＿ｃ＊ｔ）                                    （１２）
なお、Ａは誘起電圧Ｅαの振幅、Ｂは誘起電圧Ｅβの振幅である。
【００７１】
図７は、本実施形態における誘起電圧の値を補正する際に用いられる電圧補正テーブルを示す図である。
【００７２】
誘起電圧補正器５１９は、図５に示す、各時刻ｔにおける誘起電圧ＥαとＥα´とを対応させることによって図７に示す電圧補正テーブルを作成し、前記メモリに記憶する。なお、誘起電圧補正器５１９は、Ｂ相についても同様にして電圧補正テーブルを作成し、前記メモリに記憶する。また、図７に示す電圧補正テーブルは本実施形態における一例であり、これに限定されるものではない。
【００７３】
なお、誘起電圧の振幅及び周期は、モータの回転速度毎に異なる。即ち、前記所定の回転速度ω＿ｃに基づいて作成された電圧補正テーブルは、前記所定の回転速度ω＿ｃでモータが駆動されている場合において用いられることが有効である。したがって、回転速度毎に電圧補正テーブルを作成し、モータ制御装置１５７がモータを駆動する際のモータの回転速度に応じた電圧補正テーブルを用いることによって、より精度良く誘起電圧を補正することができる。
【００７４】
図８は、モータ制御装置１５７を用いて電圧補正テーブルを作成する方法を示すフローチャートである。以下、図８を用いて、本実施形態における電圧補正テーブルの作成方法について説明する。このフローチャートの処理は、ＣＰＵ１５１ａからの指示を受けたモータ制御装置１５７によって実行される。
【００７５】
電圧補正テーブルを作成する動作が開始されると、Ｓ１０１において、ＣＰＵ１５１ａはモータ制御装置１５７にｅｎａｂｌｅ信号‘Ｈ’を出力し、モータ制御装置１５７はＣＰＵ１５１ａから出力される指令に基づいてモータ５０９の制御を開始する。ｅｎａｂｌｅ信号とは、モータ制御装置１５７の稼働を許可又は禁止する信号である。ｅｎａｂｌｅ信号が‘Ｌ（ローレベル）’である場合は、ＣＰＵ１５１ａはモータ制御装置１５７の稼働を禁止する。即ち、モータ制御装置１５７によるモータ５０９の制御は終了される。また、ｅｎａｂｌｅ信号が‘Ｈ（ハイレベル）’である場合は、ＣＰＵ１５１ａはモータ制御装置１５７の稼働を許可して、モータ制御装置１５７はＣＰＵ１５１ａから出力される指令に基づいてモータ５０９の駆動制御を行う。
【００７６】
その後、Ｓ１０２において、ＣＰＵ１５１ａは、モータ５０９の駆動を制御する制御器が定電流制御器５１７となるように各スイッチ５１６ａ、５１６ｂ、５１６ｃの状態を制御する。その結果、定電流制御器５１７による定電流制御が行われる。
【００７７】
次に、Ｓ１０３において、指令速度ω＿ｒｅｆが所定の回転速度ω＿ｃに到達すると、Ｓ１０４において、誘起電圧補正器５１９は、誘起電圧推定器５１２から出力された誘起電圧Ｅα及びＥβを所定の周期分だけ前記メモリに記憶する。また、モータ制御装置１５７は、処理をＳ１０５に進める。
【００７８】
Ｓ１０５において、誘起電圧補正器５１９は、前記メモリに記憶された前記所定の周期分の誘起電圧Ｅα及びＥβと所定の回転速度ω＿ｃとに基づいて、誘起電圧Ｅα´及びＥβ´を算出し、モータ制御装置１５７は処理をＳ１０６に進める。
【００７９】
Ｓ１０６において、誘起電圧補正器５１９は、誘起電圧Ｅα及びＥβとＥα´及びＥβ´とに基づいて電圧補正テーブルを作成し、メモリに記憶する。その後、Ｓ１０７において、ＣＰＵ１５１ａがモータ制御装置１５７にｅｎａｂｌｅ信号‘Ｌ’を出力することにより、モータ制御装置１５７はモータの制御を終了する。この結果、モータ制御装置１５７による電圧補正テーブルの作成動作が終了される。
【００８０】
前述の如くして、誘起電圧補正器５１９は電圧補正テーブルを作成する。なお、本実施形態においては、誘起電圧補正器５１９は、前述したフローチャートの処理が全て終了されると、前記メモリに格納されている所定の周期分の誘起電圧Ｅα及びＥβを削除するものとするが、これに限定されるものではない。例えば、前述したフローチャートの処理が開始される際に、前記メモリに格納されている所定の周期分の誘起電圧Ｅα及びＥβを削除する構成であっても良い。
【００８１】
次に、誘起電圧補正器５１９が電圧補正テーブルに基づいて誘起電圧を補正する方法について説明する。
【００８２】
誘起電圧補正器５１９は、モータ制御装置１５７がモータを所定の回転速度ω＿ｃで駆動している状態において誘起電圧推定器５１２によって推定された誘起電圧を、電圧補正テーブルに基づいて補正する。具体的には、誘起電圧補正器５１９は、モータ制御装置１５７がベクトル制御を行っている場合において、ＣＰＵ１５１ａから出力された指令速度ω＿ｒｅｆが所定の回転速度ω＿ｃと等しい場合に、誘起電圧の補正を行う。
【００８３】
誘起電圧補正器５１９は、誘起電圧推定器５１２によって推定された誘起電圧Ｅαを、該誘起電圧Ｅαに対応する誘起電圧Ｅα´に置き換えることによって、誘起電圧Ｅαを補正する。例えば、図７に示すように、誘起電圧推定器５１２によって推定された誘起電圧Ｅαが−２である場合は、該誘起電圧Ｅαに対応する誘起電圧Ｅα´の値−４を補正後の誘起電圧Ｅα＊として、位相推定器５１３に出力する。
【００８４】
図９は、誘起電圧補正器５１９が電圧補正テーブルに基づいて、誘起電圧Ｅα及びＥβを補正する方法を示すフローチャートである。以下、図９を用いて、本実施形態における誘起電圧Ｅα及びＥβの補正方法について説明する。このフローチャートの処理は、ＣＰＵ１５１ａからの指示を受けたモータ制御装置１５７によって実行される。
【００８５】
まず、ＣＰＵ１５１ａは、モータ５０９の駆動を制御する制御器がベクトル制御器５１８となるように各スイッチ５１６ａ、５１６ｂ、５１６ｃの状態を制御する。その結果、ベクトル制御器５１８によるベクトル制御が行われる。
【００８６】
その後、Ｓ２０１において、指令速度ω＿ｒｅｆと所定の回転速度ω＿ｃとが等しい場合は、Ｓ２０２において、誘起電圧補正器５１９は、誘起電圧推定器５１２から出力された誘起電圧Ｅα及びＥβを前述した方法で補正する。その後、誘起電圧補正器５１９は、補正した誘起電圧Ｅα＊及びＥβ＊を位相推定器５１３に出力し、モータ制御装置１５７は処理をＳ２０３に進める。
【００８７】
また、Ｓ２０１において、指令速度ω＿ｒｅｆと所定の回転速度ω＿ｃとが異なる場合は、モータ制御装置１５７は処理をＳ２０３に進める。即ち、本実施形態においては、指令速度ω＿ｒｅｆと所定の回転速度ω＿ｃとが異なる場合は、誘起電圧補正器５１９は、誘起電圧推定器５１２から出力された誘起電圧Ｅα及びＥβを誘起電圧Ｅα＊及びＥβ＊として位相推定器５１３に出力する。
【００８８】
次に、Ｓ２０３において、位相推定器５１３は、誘起電圧Ｅα＊及びＥβ＊に基づいて回転位相θを推定し、モータ制御装置１５７は、回転位相θに基づいて、前述した方法でベクトル制御を行う。
【００８９】
以降、ベクトル制御が終了されるまで、前述した制御を繰り返し行う。
【００９０】
以上のように、本実施形態においては、定電流制御を用いて所定の回転速度ω＿ｃでモータを駆動している状態において推定された誘起電圧Ｅα及びＥβの振幅と前記所定の回転速度ω＿ｃに基づいて、正弦波状の誘起電圧Ｅα´及びＥβ´を算出する。更に、各時刻ｔにおける誘起電圧ＥαとＥα´とを対応させることによって電圧補正テーブルを作成する。なお、Ｂ相においても同様にして電圧補正テーブルを作成する。ベクトル制御を用いて前記所定の回転速度ω＿ｃでモータを駆動する場合は、前記電圧補正テーブルに基づいて誘起電圧Ｅα及びＥβを補正する。即ち、波形の歪んだ誘起電圧の値を、波形に歪みのない誘起電圧の値に置き換えることによって、波形の歪んだ誘起電圧の値を補正する。この結果、誘起電圧の波形に生じる歪みを低減することができる。また、歪みが低減された誘起電圧に基づいて回転位相を推定し、該回転位相に基づいてベクトル制御を行うため、モータの制御が不安定になることを抑制することができる。
【００９１】
なお、本実施形態においては、定電流制御を用いた状態において推定された誘起電圧Ｅα及びＥβの振幅と所定の回転速度ω＿ｃに基づいて、電圧補正テーブルを作成したが、この限りではない。例えば、ベクトル制御を用いた状態において推定された誘起電圧Ｅα及びＥβの振幅と所定の回転速度ω＿ｃに基づいて、電圧補正テーブルを作成する構成であっても良い。
【００９２】
また、本実施形態においては、電圧補正テーブルは、例えば、ユーザが操作部１５２を用いて電圧補正テーブルを作成する指令をＣＰＵ１５１ａに出力することによって作成される構成とするが、これに限定されるものではない。
【００９３】
なお、本実施形態におけるベクトル制御では、回転子４０２の回転位相θの推定値を基準とした回転座標系が用いられているが、これに限定されるものではない。例えば、指令位相θ＿ｒｅｆを基準とした回転座標系が用いられても良い。
【００９４】
また、本実施形態においては、電圧補正テーブルを用いて誘起電圧を補正したが、これに限定されるものではない。例えば、誘起電圧Ｅαの値とＥα´の値とに基づいてフィッティングを行うことにより誘起電圧に関する関数を作成し、前記関数に基づいて誘起電圧の補正を行っても良い。具体的には、例えば、推定された誘起電圧の値を前記関数に代入して演算し、演算された値を補正後の誘起電圧とする構成であっても良い。
【００９５】
〔第２実施形態〕
画像形成装置の構成は第１実施形態と同様である。
【００９６】
第１実施形態においては、推定された誘起電圧の値を補正する構成について説明した。本実施形態では、推定された誘起電圧の値に基づいて回転子の回転位相を推定し、推定された回転位相を補正する構成について説明する。
【００９７】
［位相の補正方法］
図１０は、本実施形態における回転位相の波形を示す図である。
【００９８】
回転子が一定速度で回転している場合における回転位相は、回転子の着磁や固定子と回転子とのギャップが均一であれば、図１０に示す点線のように、時間の経過に伴ってノコギリ波状に変化する。しかしながら、実際には回転子の着磁ムラや固定子と回転子とのギャップムラ等があることによって、回転子が一定速度で回転している場合であっても、回転位相の波形は、図１０に示す実線のように歪んだ波形になってしまう。なお、図１０に示す波形は本実施形態における一例であり、これに限定されるものではない。
【００９９】
図１１は、本実施形態におけるモータ制御装置１５７の構成の例を示すブロック図である。本実施形態におけるモータ制御装置１５７には、位相推定器５１３によって推定された回転位相を補正する位相補正器５２０が設けられている。また、位相補正器５２０の内部には、位相推定器５１３から出力された回転位相等を記憶するメモリ（不図示）が設けられている。
【０１００】
以下、図１０乃至１２を用いて、位相補正演算器５２０が位相推定器５１３から出力された回転位相θを補正する方法について説明する。なお、本実施形態においては、定電流制御を行っている期間も、ベクトル制御を行う回路は稼働しているものとする。即ち、定電流制御を行っている期間も、誘起電圧推定器５１２、位相推定器５１３及び位相補正器５２０等は稼働しているものとする。また、制御方法が第１実施形態における制御方法と同様の部分については説明を省略する。
【０１０１】
本実施形態では、回転位相を補正する際に用いられる位相補正テーブルを作成し、前記位相補正テーブルに基づいて回転位相を補正する。
【０１０２】
まず、位相補正テーブルを作成する方法について説明する。
【０１０３】
ＣＰＵ１５１ａは、モータ５０９の駆動を制御する制御器が定電流制御器５１７となるように各スイッチ５１６ａ、５１６ｂ、５１６ｃの状態を制御し、モータ制御装置１５７は定電流制御を行う。また、ＣＰＵ１５１ａは、指令位相θ＿ｒｅｆに基づいて指令速度ω＿ｒｅｆを算出し、位相補正器５２０に指令速度ω＿ｒｅｆを出力する。
【０１０４】
位相補正器５２０は、ＣＰＵ１５１ａから出力された指令速度ω＿ｒｅｆが所定の回転速度ω＿ｃと等しくなったら、位相推定器５１３から出力された回転位相θを時刻ｔと対応させて所定の周期分だけ前記メモリに記憶する。なお、前記所定の周期は１周期以上であれば良い。また、指令速度ω＿ｒｅｆが所定の回転速度ω＿ｃと等しい状態は、モータを所定の回転速度で駆動している状態に対応する。
【０１０５】
また、位相補正器５２０は、前記所定の回転速度ω＿ｃに基づいて、図１０に示す点線のような回転位相θ´を算出する。
【０１０６】
図１２は、本実施形態における回転位相を補正する際に用いられる位相補正テーブルを示す図である。
【０１０７】
位相補正器５２０は、図１０に示す、各時刻ｔにおける回転位相θとθ´とを対応させることによって図１２に示す位相補正テーブルを作成し、前記メモリに記憶する。また、図１２に示す電圧補正テーブルは本実施形態における一例であり、これに限定されるものではない。
【０１０８】
なお、回転位相の周期は、モータの回転速度毎に異なる。即ち、前記所定の回転速度ω＿ｃに基づいて作成された位相補正テーブルは、前記所定の回転速度ω＿ｃでモータが制御されている場合において用いられることが有効である。したがって、回転速度毎に位相補正テーブルを作成し、モータ制御装置１５７がモータを駆動する際のモータの回転速度に応じた位相補正テーブルを用いることによって、より精度良く回転位相を補正することができる。
【０１０９】
図１３は、モータ制御装置１５７を用いて位相補正テーブルを作成する方法を示すフローチャートである。以下、図１３を用いて、本実施形態における位相補正テーブルの作成方法について説明する。このフローチャートの処理は、ＣＰＵ１５１ａからの指示を受けたモータ制御装置１５７によって実行される。
【０１１０】
位相補正テーブルを作成する動作が開始されると、Ｓ３０１において、ＣＰＵ１５１ａはモータ制御装置１５７にｅｎａｂｌｅ信号‘Ｈ’を出力し、モータ制御装置１５７はＣＰＵ１５１ａから出力される指令に基づいてモータ５０９の駆動制御を開始する。
【０１１１】
その後、Ｓ３０２において、ＣＰＵ１５１ａは、モータ５０９の駆動を制御する制御器が定電流制御器５１７となるように各スイッチ５１６ａ、５１６ｂ、５１６ｃの状態を制御する。その結果、定電流制御器５１７による定電流制御が行われる。
【０１１２】
次に、Ｓ３０３において、指令速度ω＿ｒｅｆが所定の回転速度ω＿ｃに到達すると、Ｓ３０４において、位相補正器５２０は、位相推定器５１３から出力された回転位相θを所定の周期分だけ前記メモリに記憶する。また、モータ制御装置１５７は、処理をＳ３０５に進める。
【０１１３】
Ｓ３０５において、位相補正器５２０は、所定の回転速度ω＿ｃに基づいて、回転位相θ´を算出し、モータ制御装置１５７は処理をＳ３０６に進める。
【０１１４】
Ｓ３０６において、位相補正器５２０は、回転位相θとθ´とに基づいて位相補正テーブルを作成し、メモリに記憶する。その後、Ｓ３０７において、ＣＰＵ１５１ａがモータ制御装置１５７にｅｎａｂｌｅ信号‘Ｌ’を出力することにより、モータ制御装置１５７はモータの制御を終了する。この結果、モータ制御装置１５７による位相補正テーブルの作成が終了される。
【０１１５】
前述の如くして、位相補正器５２０は位相補正テーブルを作成する。なお、本実施形態においては、位相補正器５２０は、前述したフローチャートの処理が全て終了されると、前記メモリに格納されている所定の周期分の回転位相θを削除するものとするが、これに限定されるものではない。例えば、前述したフローチャートの処理が開始される際に、前記メモリに格納されている所定の周期分の回転位相θを削除する構成であっても良い。
【０１１６】
次に、位相補正器５２０が位相補正テーブルに基づいて回転位相を補正する方法について説明する。
【０１１７】
位相補正器５２０は、モータ制御装置１５７がモータを前記所定の回転速度ω＿ｃで駆動している状態において位相推定器５１３によって推定された回転位相を、位相補正テーブルに基づいて補正する。具体的には、位相補正器５２０は、モータ制御装置１５７がベクトル制御を行っている場合において、ＣＰＵ１５１ａから出力された指令速度ω＿ｒｅｆが所定の回転速度ω＿ｃと等しい場合に、回転位相の補正を行う。
【０１１８】
位相補正器５２０は、位相推定器５１３によって推定された回転位相θを、該回転位相θに対応する回転位相θ´に置き換えることによって、回転位相θを補正する。例えば、位相補正器５２０は、図１２に示すように、位相推定器５１３によって推定された回転位相θの値が−６０である場合は、該回転位相θに対応する回転位相θ´の値−５０を補正後の回転位相θ＊として出力する。
【０１１９】
図１４は、位相補正器５２０が位相補正テーブルに基づいて、回転位相θを補正する方法を示すフローチャートである。以下、図１４を用いて、本実施形態における回転位相θの補正方法について説明する。このフローチャートの処理は、ＣＰＵ１５１ａからの指示を受けたモータ制御装置１５７によって実行される。
【０１２０】
まず、ＣＰＵ１５１ａは、モータ５０９の駆動を制御する制御器がベクトル制御器５１８となるように各スイッチ５１６ａ、５１６ｂ、５１６ｃの状態を制御する。その結果、ベクトル制御器５１８によるベクトル制御が行われる。
【０１２１】
その後、Ｓ４０１において、位相推定器５１３は、誘起電圧推定器５１２から出力された誘起電圧Ｅα及びＥβに基づいて回転位相θを推定し、位相補正器５２０に出力する。
【０１２２】
次に、Ｓ４０２において、指令速度ω＿ｒｅｆと所定の回転速度ω＿ｃとが等しい場合は、Ｓ４０３において、位相補正器５２０は、位相推定器５１３から出力された回転位相θを前述した方法で補正する。その後、位相補正器５２０は、補正した回転位相θ＊を出力し、モータ制御装置１５７は処理をＳ４０４に進める。
【０１２３】
また、Ｓ４０２において、指令速度ω＿ｒｅｆと所定の回転速度ω＿ｃとが異なる場合は、モータ制御装置１５７は処理をＳ４０４に進める。即ち、本実施形態においては、指令速度ω＿ｒｅｆと所定の回転速度ω＿ｃとが異なる場合は、位相補正器５２０は、位相推定器５１３から出力された回転位相θを回転位相θ＊として出力する。モータ制御装置１５７は、前記回転位相θ＊に基づいて、前述した方法でベクトル制御を行う。
【０１２４】
以降、ベクトル制御が終了されるまで、前述した制御を繰り返し行う。
【０１２５】
以上のように、本実施形態においては、所定の回転速度ω＿ｃに基づいて、ノコギリ波状の回転位相θ´を算出する。更に、各時刻における回転位相θとθ´とを対応させることによって位相補正テーブルを作成する。ベクトル制御を用いて前記所定の回転速度ω＿ｃでモータを駆動する場合は、前記位相補正テーブルに基づいて回転位相θを補正する。即ち、波形の歪んだ回転位相の値を、波形に歪みのない回転位相の値に置き換えることによって、波形の歪んだ回転位相の値を補正する。この結果、誘起電圧の波形に生じる歪みに起因する回転位相の波形の歪みを低減することができる。また、歪みが低減された回転位相に基づいてベクトル制御を行うため、モータの制御が不安定になることを抑制することができる。
【０１２６】
なお、本実施形態においては、定電流制御を用いた状態において推定された回転位相θと所定の回転速度ω＿ｃに基づいて、電圧補正テーブルを作成したが、この限りではない。例えば、ベクトル制御を用いた状態において推定された回転位相θと所定の回転速度ω＿ｃに基づいて、電圧補正テーブルを作成する構成であっても良い。
【０１２７】
また、本実施形態においては、位相補正テーブルは、例えば、ユーザが操作部１５２を用いて位相補正テーブルを作成する指令をＣＰＵ１５１ａに出力することによって作成される構成とするが、これに限定されるものではない。
【０１２８】
なお、本実施形態におけるベクトル制御では、回転子４０２の回転位相θの推定値を基準とした回転座標系が用いられているが、これに限定されるものではない。例えば、指令位相θ＿ｒｅｆを基準とした回転座標系が用いられても良い。
【０１２９】
また、本実施形態においては、位相補正テーブルを用いて回転位相を補正したが、これに限定されるものではない。例えば、回転位相θの値とθ´の値とに基づいてフィッティングを行うことにより回転位相に関する関数を作成し、前記関数に基づいて回転位相の補正を行っても良い。具体的には、例えば、推定された回転位相の値を前記関数に代入して演算し、演算された値を補正後の回転位相とする構成であっても良い。
【符号の説明】
【０１３０】
１５７  モータ制御装置
４０２  回転子
５０２  位相制御器
５０３  電流制御器
５０６  ＰＷＭインバータ
５０７、５０８  電流検出器
５０９  ステッピングモータ
５１２  誘起電圧推定器
５１３  位相推定器
５１８  ベクトル制御器
５１９  誘起電圧補正器
【図１】
2018007467.tif 000003
【図２】
2018007467.tif 000004
【図３】
2018007467.tif 000005
【図４】
2018007467.tif 000006
【図５】
2018007467.tif 000007
【図６】
2018007467.tif 000008
【図７】
2018007467.tif 000009
【図８】
2018007467.tif 000010
【図９】
2018007467.tif 000011
【図１０】
2018007467.tif 000012
【図１１】
2018007467.tif 000013
【図１２】
2018007467.tif 000014
【図１３】
2018007467.tif 000015
【図１４】
2018007467.tif 000016